(57)【要約】 【課題】装飾性が長く維持されるとともに比較的柔軟性のある被締結物にも緩みを生じることなく一体固定可能な締結部材とワッシャの装飾組合せ体を得る。【解決手段】比較的柔軟なワーク３０に固定する締結部材とワッシャとの組合せであって、締結部材の頭部に反射材１２を有する透明反射体１０を埋設固定し、一方、ワッシャ２０にもこの反射材１２を有する透明反射体１０を複数埋設固定し、ワッシャ２０の裏面２０ｂに複数個の突部２５を形成し、締結部材でワッシャ２０をワーク３０に固定してワッシャ２０が廻らないようにした締結部材とワッシャの装飾組合せ体であるので、装飾ワッシャの突部がしっかりと食い込み、鞄にワッシャを所定方向を維持した状態で固定することができる。また、柔軟性を有する皮革に使用してもワッシャが回転することなく、長く装飾性が保たれる。更に、弛みやガタ付きが発生しにくく、その寿命も長い。【選択図】図１
2008202641.tif 000002
【特許請求の範囲】
【請求項１】
比較的柔軟なワーク（３０）に固定してワーク表面に装飾性を施す締結部材とワッシャとの組合せであって、締結部材の頭部に光が照射されると反射する反射材（１２）を有する透明反射体（１０）を埋設固定し、一方、ワッシャ（２０）の表面（２０ａ）にも光が照射されると反射する反射材を有する透明反射体を所定間隔をおいて複数埋設固定し、この透明反射体を固定したワッシャの裏面（２０ｂ）に複数個の突部（２５）を形成し、前記締結部材でワッシャをワークに固定してワッシャが廻らないようにしたことを特徴とする締結部材とワッシャの装飾組合せ体。
【請求項２】
締結部材はその座面（７）にワッシャの貫通穴（２２）とワークとを貫通して締結したとき貫通穴の段付き有底面（２３）に形成された第２のセーレーション（２３ａ）と係合する第１のセレーション（７ａ）を有していることを特徴とする請求項１記載の締結部材とワッシャの装飾組合せ体。
【請求項３】
反射材は透明反射体の後部に位置する断面円弧形状に形成された部分を中心に塗布されていることを特徴とする請求項１又は２記載の締結部材とワッシャの装飾組合せ体。
【請求項４】
ワッシャは透明反射体の後部がワッシャの平坦な裏面から突出して突部をなす構成であることを特徴とする請求項１、２又は３記載の締結部材とワッシャの装飾組合せ体。
【請求項５】
突部は樹脂材からなるワッシャの本体部（２１）に形成され、これの裏面から後方へ複数個錐状に突出した構成であることを特徴とする請求項１、２、３又は４記載の締結部材とワッシャの装飾組合せ体。
【発明の詳細な説明】
【技術分野】
【０００１】
本発明は、被締結物として比較的柔軟なワークに締結部材とワッシャとを組合せて固定するものであって、特に、ワークの表面側に装飾を施した締結部材とワッシャとが位置するように締結部材を貫通固定し、締結部材とワッシャがワークに対して回転しないように固定した締結部材とワッシャの装飾組合せ体に関する。
【背景技術】
【０００２】
鞄、バッグ、ランドセルあるいは袋などの皮革製品からなる被締結物において、例えば、小学生が通学に使用するランドセルはその年の流行によりワンポイント的な装飾が施されたものが多くある。また、最近の交通事情から通学時の交通事故を防ぐためにもランドセルに反射材を貼り付けたりして自動車の運転手が早期に気づくようにしたものが多い。更に、高齢者が持つ手提げ袋などにも交通安全上からその必要性が高まっている。
【０００３】
このような背景から最近では種々のものが開発され使用されているが、高い有効性を有するとの評価を得られるものが少なく、夕方などの薄暗い状態においては、見落としたりするなどの危険性が依然として残っている。このようなことを少しでも解消するとともに装飾性を有するものとして最近では実用新案登録第３０２３１２１号公報に示すような雄部材として装飾性を有するリベットが採用されている。これは図９に示すようなリベット１０１であり、このリベット１０１を固定する雌部材１３２とともにランドセルなどの鞄に対して、リベット１０１の頭部１０３が表面に露出する状態に取り付ける留め金具であって、この止め金具を構成するリベット１０１の頭部１０３に、着色されかつ蛍光体などを含有して発光性を有するか、もしくは光反射性を有する飾り片１１０を止着したものである。また、雄部材としてのリベット１０１と雌部材１３２の筒部１３３とはリベット１０１の脚部１０２の突出部１０２ａに嵌合することにより抜けないように固定されている。
【特許文献１】実用新案登録第３０２３１２１号公報
【発明の開示】
【発明が解決しようとする課題】
【０００４】
しかしながら、被締結物としての皮革に締結部材としてのリベットを貫挿させて反対側にあるかしめ部片である雌部材にかしめた場合、製品としてランドセルを完成させたときには何ら問題はないが、このランドセルを長く使用したり、また皮革は比較的柔軟性を有していることから、この留め金具が回転するようになり、装飾性に支障をきたしている。特に、留め金具の頭部表面外周が円形であれば装飾性においては何ら支障はないが、外周が円形以外例えば、星形、菱形、楕円あるいはリボン型などの形状であると、これが少しでも廻るとその装飾性が失われている。また、このように留め金具が廻るようになると、ランドセルの皮革に留め金具で傷が付き、傷むこともある。更に、回転することで締結部材にも弛みやガタ付きが発生し、皮革から脱落することにもなり、その寿命も短いなどの課題が生じている。
【０００５】
本発明の目的は、このような課題を解消して装飾性が長く維持されるとともに比較的柔軟性のある被締結物にも緩みを生じることなく一体固定可能な締結部材とワッシャの装飾組合せ体を得ることである。
【課題を解決するための手段】
【０００６】
本発明の目的は、比較的柔軟なワーク３０に固定してワーク表面に装飾性を施す締結部材とワッシャとの組合せであって、締結部材の頭部に光が照射されると反射する反射材１２を有する透明反射体１０を埋設固定し、一方、ワッシャ２０の表面２０ａにも光が照射されると反射する反射材１２を有する透明反射体１０を所定間隔をおいて複数埋設固定し、この透明反射体１０を固定したワッシャ２０の裏面２０ｂに複数個の突部２５を形成し、前記締結部材でワッシャ２０をワーク３０に固定してワッシャ２０が廻らないようにした締結部材とワッシャの装飾組合せ体を提供することで達成される。
【０００７】
また、この構成に加えて、締結部材はその座面７にワッシャ２０の貫通穴２２とワーク３０とを貫通して締結したとき貫通穴２２の段付き有底面２３に形成された第２のセーレーション２３ａと係合する第１のセレーション７ａを有していることによって、ワークにかしめ固定されたときに締結部材とワッシャとが一体となり、ワッシャが締結部材に対して廻ることが阻止される。更に、これら構成における反射材は透明反射体１０の後部に位置する断面円弧形状に形成された部分を中心に塗布されている構成であるので、入射光に対して同等あるいはそれに近い反射量が得られる。しかも、ワッシャは透明反射体１０の後部がワッシャ２０の平坦な裏面２０ｂから突出して突部２５をなす構成であることから、これを固定したとき被締結物としての皮革を押圧することになり、ワッシャと皮革とが一体になりやすい。その上、突部は樹脂材からなるワッシャ２０の本体部２１に形成され、これの裏面２０ｂから後方へ複数個錐状に突出した構成であることからも、より確実な廻り止め作用が得られる。
【発明の効果】
【０００８】
本発明によれば、皮革などの比較的柔らかい被締結物に締結部材を装飾ワッシャとともに固定すると、装飾ワッシャの突部がしっかりと被締結物に食い込み、更に、締結部材とワッシャの第１、第２のセレーションが互いに噛み合い固定されるので、ランドセルなどの鞄に装飾ワッシャを所定方向を維持した状態で固定することができ、このランドセルを長く使用しても、また柔軟性を有する皮革に使用してもワッシャが回転することなく、長く方向性が保たれて装飾性を維持することができる。特に、ワッシャの外周が例えば、星形、菱形、矩形、楕円あるいはリボン型などの形状であっても、これは締結部材を中心に廻ることが解消されてその装飾性は失われることがない。また、従来のように留め金具が廻らないので、ランドセルの皮革が締結部材などで傷が付くこともない。更に、回転しないので、締結部材にも弛みやガタ付きが発生しにくく、皮革から脱落することも解消されるので、その寿命も長い。しかも、鞄やランドセルなどに使用すると、その装飾効果が大きく、光の反射も効率よく得られるので、交通事故防止にも役立つなどの特有の効果がある。
【発明を実施するための最良の形態】
【０００９】
以下、本発明の実施の形態を図１乃至図８に基づき説明する。図１、図２及び図５において、１は脚部２を有し、一端にこの脚部２と一体でこれより大径の頭部３を有する締結部材としての樹脂材を射出成形して形成されたリベットであり、このリベット１の頭部３の中心線上には透明で断面円弧形状の後部にこの部分を中心に胴部１１にかけて反射材１２が塗布され且つ前面が半球形状のガラス体などの透明反射体１０が埋設固定されている。このリベット１の頭部３の中心から頭部３の外周にかけてはその表面が円錐形状の斜面となっており、この円錐状の斜面には等間隔をおいて放射状の溝６が形成されて装飾性をもたせている。その上、前記頭部３の座面７には中心側から放射状に延びた第１のセレーション７ａが形成されている。この座面７から延びる脚部２は頭部側が大径で脚部側が小径な段付き軸状となっており、この小径部４には有底中空穴形状の有底孔８が形成されている。
【００１０】
また、前記脚部２の大径部５には断面円弧形状となった後部に反射材１２を塗布した透明反射体１０が一体成形されてその胴部１１が位置している。そして、この透明反射体１０の前面の形状は半球形状となって前記リベット１の頭部３から僅か突出していることから、光が照射されると、その入射光は集光され後部の反射材１２によりその光を十分に反射させる構成であり、同等あるいはそれに近い反射量が得られるようになっている。
【００１１】
一方、このリベット１の脚部２はこれと同様に樹脂材を射出成形して本体部２１が形成されたワッシャ２０に、あらかじめあけられている貫通穴２２に貫挿されるようになっている。このワッシャ２０は図３及び図４に示すように、装飾性を有するようにその外形が五角形の星形状に形成してあり、その中心には前記リベット１の脚部２が貫挿される貫通穴２２が形成されている。この貫通穴２２はリベット１の頭部３の座面７に連続する大径部５が嵌る大きさで、ワッシャ２０の表面側には前記リベット１の頭部径が嵌るようにワッシャ２０の厚みの１／３程度の深さの段付き穴形状となっている。この段付き穴形状の段付き有底面２３には第２のセレーション２３ａが形成してあり、これに接する前記リベット１の座面７に形成された前記第１のセレーション７ａとの間で円周方向の滑りを阻止するようになっている。また、前記第１、第２セレーション７ａ、２３ａに代え、スリットあるいは凹凸を形成してもよく、座面７と段付き有底面２３との間での滑りを抑制するものであれば、これらに限定されるものではない。
【００１２】
更に、この装飾性を有するように外周が星形形状に形成された装飾性を有するワッシャ２０には星形形状の放射方向に位置する突出部片２４の基部近くに前記リベット１と同様に図６に示すように、断面円弧形状となった後部を中心に反射材１２を塗布した透明のガラス体などの透明反射体１０が所定間隔をおいて複数個その胴部１１が一体となるよう埋設されて固定されている。この透明反射体１０の前面も半球形状となってワッシャ２０の本体部２１の表面２０ａから突出しており、これに光が照射されると、集光され後部に塗布されている反射材１２によりリベット１と同様にその光が反射する構成である。尚、この透明反射体１０はワッシャ２０の本体部２１となる樹脂材を射出成形する際に熱により溶けたり、変形することのないものである。一方、前記透明反射体１０の後部は一部が前記ワッシャ２０の裏面２０ｂを形成する樹脂材で覆われており、ワッシャ２０の裏面２０ｂから透明反射体１０の後部は後方へ僅か突出して突部２５を構成している。即ち、このワッシャ２０の平坦な裏面２０ｂからの突部２５は透明反射体１０の数だけ複数個形成されるようになっている。
【００１３】
このようにして得られた装飾性を有するワッシャ２０はこの実施の形態のように星形に限定されることはなく、例えば、図８に示すように中心部に対して周囲の二方向が広いリボン形状であってもよく、この他にも四角、菱形、あるいは六角形状などの他の形状であってもよい。しかも、これらの形状のワッシャ２０の本体部２１にはこれに合わせて所望個数の透明反射体１０を表面２０ａからその前面が前方へ、裏面２０ｂから突部２５が僅か後方へ夫々突出した状態となるように一体成形することで、その装飾性を付与することができ、ワッシャ２０の形状に合わせて任意の位置に設定できるものである。
【００１４】
尚、この実施の形態では締結部材として透明反射体１０を有し、樹脂材からなるリベット１により説明したが、これに代えて前記透明で反射可能な透明反射体１０を除いたねじ（図示せず）を使用してねじに螺合するナット（図示せず）によりワーク３０にワッシャ２０を固定するようにしてもよく、この他に頭部を有する雄雌ピン状のものであってもよい。しかも、リベット１は樹脂材に代えて、金属製としてもよく、この場合は透明反射体１０はあらかじめあけられている孔（図示せず）に嵌め込み固定するようにすればよい。このような構成はワッシャ２０を樹脂材に代えて、金属製とした場合にも適用できるものである。
【００１５】
このように構成された装飾性を有するワッシャ２０を固定する作業は図１に示すように、あらかじめ被締結物としての比較的柔軟なワーク３０である皮革の所定位置にあけられている締結穴３１に対してワッシャ２０をこれの裏面２０ｂをワーク側にしてその位置に位置決め配置した後、続いて、ワッシャ２０の貫通穴２２にワッシャ２０の表面２０ａの方向からリベット１の脚部２を挿入する。このリベット１は脚部２の径より大きく、リベット１が挿入された状態においてワッシャ２０の裏面２０ｂから突出しない程度の厚さ即ち、ワッシャ２０の貫通穴２２にほぼ合致して嵌る径であって、リベット１の座面７が接する段付き有底面２３からワッシャ２０の裏面２０ｂまでの厚みと同程度の長さの大径部５を有しており、ワッシャ２０にリベット１の脚部２が挿入されると、この脚部２の小径部４はワッシャ２０及びワーク３０から突き出されることになる。
【００１６】
このようになることから、かしめ機（図示せず）によりこれらをワーク３０に固定する作業において、受け台（図示せず）に装飾性を施した締結部材としてのリベット１の脚部２がかしめられる締結補助部材３２を載置し、これにワーク３０と装飾性を有するワッシャ２０を挟んだ状態でリベット１の頭部３を加圧すると、リベット１の脚部２は締結補助部材３２の収納穴３２ａにおいて広がりかしめられる。このとき、リベット１の頭部３の座面７はワッシャ２０の貫通穴２２の段付き有底面２３に接触し、第１のセレーション７ａ及び第２のセレーション２３ａが係合して、ワッシャ２０の裏面２０ｂはワーク３０に圧接され、突部２５はワーク３０に没入してかしめ作業が完了する。これにより、ワーク３０に対してワッシャ２０とリベット１は一体となり、リベット１及び装飾ワッシャ２０はワーク３０に対して廻ることがなくなる。
【００１７】
また、図７は本発明のもう一つの実施の形態であり、これは前記装飾性を有するワッシャ２０の裏面２０ｂから突出している透明反射体１０からなる突部２５に加えて、樹脂材からなる本体部２１の裏面２０ｂ上で、等間隔をおいた所定位置に、円錐状あるいは角錐状の突部２５を前記裏面２０ｂから後方へ複数個突出形成し、リベット１を加圧したときにワーク３０にこの錐状の突部２５も没入するようにすることで、より確実なワッシャ２０の廻り止め作用が得られるものである。
【図面の簡単な説明】
【００１８】
【図１】本発明の実施の形態を示す要部断面正面図である。
【図２】図１の側面図である。
【図３】本発明に使用する装飾ワッシャの側面図である。
【図４】図３の一部断面正面図である。
【図５】本発明の実施の形態におけるリベットの要部断面正面図である。
【図６】図４の拡大部分断面正面図である。
【図７】本発明の他の実施の形態を示す要部断面正面図である。
【図８】本発明のもう一つの実施の形態を示す側面図である。
【図９】従来例を示す要部断面正面図である。
【符号の説明】
【００１９】
１    リベット
２    脚部
３    頭部
４    小径部
５    大径部
６    溝
７    座面
７ａ  第１のセレーション
８    有底孔
１０    透明反射体
１１    胴部
１２    反射材
２０    ワッシャ
２０ａ  表面
２０ｂ  裏面
２１    本体部
２２    貫通穴
２３    段付き有底面
２３ａ  第２のセレーション
２４    突出部片
２５    突部
３０    ワーク
３１    締結穴
３２    締結補助部材
３２ａ  収納穴
【図１】
2008202641.tif 000003
【図２】
2008202641.tif 000004
【図３】
2008202641.tif 000005
【図４】
2008202641.tif 000006
【図５】
2008202641.tif 000007
【図６】
2008202641.tif 000008
【図７】
2008202641.tif 000009
【図８】
2008202641.tif 000010
【図９】
2008202641.tif 000011